(57)【要約】【課題】疲労度を軽負荷にて正確に求めることのできる疲労度判定装置、疲労度判定方法、疲労度判定プログラム、及び、生体情報測定装置を提供する。【解決手段】生体情報測定装置１００の制御部３０は、ユーザから測定された生体拍数に基づいて、ユーザの覚醒時かつ安静時の第一の生体拍数を取得する第一の生体拍数取得部３４と、ユーザから測定された生体拍数に基づいて、ユーザの睡眠時の第二の生体拍数を取得する第二の生体拍数取得部３５と、人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体４０から読み出した該情報と、第一の生体拍数及び第二の生体拍数とに基づいて、ユーザの疲労度を判定する疲労度判定部３６と、を備える。【選択図】図６
2018023676.tif 000002
【特許請求の範囲】
【請求項１】
ユーザから測定された生体拍数に基づいて、前記ユーザの覚醒時かつ安静時の第一の生体拍数を取得する第一の生体拍数取得部と、
前記ユーザから測定された生体拍数に基づいて、前記ユーザの睡眠時の第二の生体拍数を取得する第二の生体拍数取得部と、
人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定部と、を備える疲労度判定装置。
【請求項２】
請求項１記載の疲労度判定装置であって、
前記疲労度判定部は、前記第一の生体拍数と前記第二の生体拍数のうちの一方に対する他方の変化の度合いを算出し、前記情報において当該度合いに対応する疲労度を前記ユーザの疲労度として判定する疲労度判定装置。
【請求項３】
請求項１又は２記載の疲労度判定装置であって、
前記情報に含まれる前記疲労度は、酸化ストレス度である疲労度判定装置。
【請求項４】
請求項１〜３のいずれか１項記載の疲労度判定装置であって、
前記第一の生体拍数取得部は、前記疲労度判定部が前記ユーザの疲労度を判定するタイミングを起点として予め決められた時間前までの判定期間において前記ユーザから測定された生体拍数に基づいて前記第一の生体拍数を取得し、
前記第二の生体拍数取得部は、前記判定期間において前記ユーザから測定された生体拍数に基づいて前記第二の生体拍数を取得する疲労度判定装置。
【請求項５】
請求項４記載の疲労度判定装置であって、
前記予め決められた時間は２４時間である疲労度判定装置。
【請求項６】
請求項１〜５のいずれか１項記載の疲労度判定装置であって、
前記疲労度判定部によって判定された前記ユーザの疲労度の情報を表示部又はスピーカに出力する出力部を更に備え、
前記疲労度判定部は、予め決められたタイミングで前記ユーザの疲労度を判定する疲労度判定装置。
【請求項７】
請求項１〜６のいずれか１項記載の疲労度判定装置であって、
前記変化の度合いは、前記一方の生体拍数から前記他方の生体拍数を減算して得られる差分値であり、
前記疲労度判定部は、前記第一の生体拍数と前記第二の生体拍数のうちの一方から他方を減算し、前記情報において前記減算で得た値に対応する疲労度を前記ユーザの疲労度として判定する疲労度判定装置。
【請求項８】
請求項１〜６のいずれか１項記載の疲労度判定装置であって、
前記変化の度合いは、前記一方の生体拍数から前記他方の生体拍数を減算して得られる差分値を前記他方の生体拍数で除算して得られる値、又は、該値に１００を乗じた値であり、
前記疲労度判定部は、前記第一の生体拍数と前記第二の生体拍数のうちの一方から他方を減算して得られる差分値を当該他方で除算して、又は、前記第一の生体拍数と前記第二の生体拍数のうちの一方から他方を減算して得られる差分値を前記他方で除算し更に１００を乗じて、前記ユーザの生体拍数の変化の割合を算出し、前記情報において前記変化の割合に対応する疲労度を前記ユーザの疲労度として判定する疲労度判定装置。
【請求項９】
請求項１〜８のいずれか１項記載の疲労度判定装置と、
前記ユーザから生体拍数を測定する測定部と、を備え、
前記第一の生体拍数取得部は、前記測定部によって測定された生体拍数から前記第一の生体拍数を生成することで前記第一の生体拍数を取得し、
前記第二の生体拍数取得部は、前記測定部によって測定された生体拍数から前記第二の生体拍数を生成することで前記第二の生体拍数を取得する生体情報測定装置。
【請求項１０】
ユーザから測定された生体拍数に基づいて、前記ユーザの覚醒時かつ安静時の第一の生体拍数を取得する第一の生体拍数取得ステップと、
前記ユーザから測定された生体拍数に基づいて、前記ユーザの睡眠時の第二の生体拍数を取得する第二の生体拍数取得ステップと、
人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定ステップと、を備える疲労度判定方法。
【請求項１１】
ユーザから測定された生体拍数に基づいて、前記ユーザの覚醒時かつ安静時の第一の生体拍数を取得する第一の生体拍数取得ステップと、
前記ユーザから測定された生体拍数に基づいて、前記ユーザの睡眠時の第二の生体拍数を取得する第二の生体拍数取得ステップと、
人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定ステップと、をコンピュータに実行させるための疲労度判定プログラム。
【発明の詳細な説明】
【技術分野】
【０００１】
本発明は、疲労度判定装置、疲労度判定方法、疲労度判定プログラム、及び、生体情報測定装置に関する。
【背景技術】
【０００２】
ユーザから測定された生体情報に基づいて、ユーザの健康等に関する情報を提供する装置又はシステムが知られている（特許文献１−３参照）。
【０００３】
特許文献１には、ユーザの心拍間隔に基づいて、ユーザの慢性疲労を評価するシステムが記載されている。このシステムは、ユーザの睡眠時の心拍間隔の周波数解析を行い、周波数解析の結果に基づいて慢性疲労の有無を判別している。
【０００４】
特許文献２には、深睡眠状態のユーザの心拍数に基づいてユーザのストレス情報を求めるウェアラブル装置が記載されている。
【０００５】
特許文献３には、任意のタイミングで測定されたユーザの生体拍数が、予め記憶されている覚醒時の生体拍数データに対して閾値以上低下している場合に、ユーザに疲労若しくは眠気の何れか一方又は双方が生じていると判断し、任意のタイミングで測定されたユーザの生体拍数と、予め記憶されている睡眠時の生体拍数データとの差が閾値未満になっている場合に、ユーザに疲労若しくは眠気の何れか一方又は双方が生じていると判断する装置が記載されている。
【先行技術文献】
【特許文献】
【０００６】
【特許文献１】特開２０１５−１０９８８８号公報
【特許文献２】特開２０１５−１７３６８４号公報
【特許文献３】特開２０１５−１９５９８２号公報
【発明の概要】
【発明が解決しようとする課題】
【０００７】
特許文献３に記載された装置は、ユーザに疲労が生じているか否かを判定することはできるが、疲労の度合い（疲労度）がどの程度であるかまでは判定することができない。
【０００８】
特許文献２に記載のウェアラブル装置は、ユーザから測定された心拍数が深睡眠状態の心拍数にストレス係数を乗じて得られる値以上となっている時間の積算値を、ストレスを評価する指標として求めている。
【０００９】
この方法では、心拍数を計測している時間によって指標の大きさが変動するため、ストレスの評価を正確に行うことが難しい。
【００１０】
特許文献１に記載されたシステムは、心拍間隔の周波数解析といった複雑な演算処理を行う必要があるため、慢性的な疲労の度合いを判定するための処理負荷が大きくなる。
【００１１】
本発明は、上記事情に鑑みてなされたものであり、疲労度を軽負荷にて正確に求めることのできる疲労度判定装置、疲労度判定方法、疲労度判定プログラム、及び、生体情報測定装置を提供することを目的とする。
【課題を解決するための手段】
【００１２】
本発明の疲労度判定装置は、ユーザから測定された生体拍数に基づいて、前記ユーザの覚醒時かつ安静時の第一の生体拍数を取得する第一の生体拍数取得部と、前記ユーザから測定された生体拍数に基づいて、前記ユーザの睡眠時の第二の生体拍数を取得する第二の生体拍数取得部と、人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定部と、を備えるものである。
【００１３】
本発明の疲労度判定方法は、ユーザから測定された生体拍数に基づいて、前記ユーザの覚醒時かつ安静時の第一の生体拍数を取得する第一の生体拍数取得ステップと、前記ユーザから測定された生体拍数に基づいて、前記ユーザの睡眠時の第二の生体拍数を取得する第二の生体拍数取得ステップと、人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定ステップと、を備えるものである。
【００１４】
本発明の疲労度判定プログラムは、ユーザから測定された生体拍数に基づいて、前記ユーザの覚醒時かつ安静時の第一の生体拍数を取得する第一の生体拍数取得ステップと、前記ユーザから測定された生体拍数に基づいて、前記ユーザの睡眠時の第二の生体拍数を取得する第二の生体拍数取得ステップと、人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定ステップと、をコンピュータに実行させるためのものである。
【００１５】
本発明の生体情報測定装置は、前記疲労度判定装置と、前記ユーザから生体拍数を測定する測定部と、を備え、前記第一の生体拍数取得部は、前記測定部によって測定された生体拍数から前記第一の生体拍数を生成することで前記第一の生体拍数を取得し、前記第二の生体拍数取得部は、前記測定部によって測定された生体拍数から前記第二の生体拍数を生成することで前記第二の生体拍数を取得するものである。
【発明の効果】
【００１６】
本発明によれば、疲労度を軽負荷にて正確に求めることのできる疲労度判定装置、疲労度判定方法、疲労度判定プログラム、及び、生体情報測定装置を提供することができる。
【図面の簡単な説明】
【００１７】
【図１】本発明の一実施形態を説明するための生体情報測定装置１００の外観の概略構成を示す模式図である。
【図２】図１に示す生体情報測定装置１００の圧力センサ１０を手首との接触面側から見た平面模式図である。
【図３】図１に示す生体情報測定装置１００の本体部１の内部ハードウェア構成を示す図である。
【図４】図３に示す制御部３０の機能ブロック図である。
【図５】心拍数変化と酸化ストレス度との関係を検証した結果を示す図である。
【図６】心拍数変化と酸化ストレス度との関係を検証した結果を示す図である。
【図７】本発明の一実施形態に係る疲労度判定システムの概略構成を示す図である。
【図８】図７に示す電子機器２００の内部ハードウェア構成を示す図である。
【図９】図７に示す電子機器２００のシステム制御部２０１の機能ブロック図である。
【発明を実施するための形態】
【００１８】
以下、本発明の一実施形態について図面を参照して説明する。
【００１９】
図１は、本発明の一実施形態を説明するための生体情報測定装置１００の外観の概略構成を示す模式図である。生体情報測定装置１００は、ユーザの手首に装着されて使用される。
【００２０】
生体情報測定装置１００は、本体部１と、本体部１に固定されたベルト２と、を備える。生体情報測定装置１００は、脈波の検出対象となる橈骨動脈ＴＤが皮膚下に存在する手首に装着して用いられるものであり、本体部１がベルト２によって手首に装着されて使用される。
【００２１】
生体情報測定装置１００が測定対象とする生体情報は、収縮期血圧、拡張期血圧、又は、脈圧等の血圧情報、脈拍数等の脈拍情報、或いは、心拍数等の心拍情報、等である。脈拍数又は心拍数は、心臓の拍動回数又はこれに準じた回数のことを示し、本明細書においてはこれらのことを総称して生体拍数と言う。以下では、生体情報測定装置１００が生体拍数としての脈拍数を測定するものとして説明する。
【００２２】
なお、心拍数は心臓の拍動回数であり、脈拍数は心臓の拍動により心臓から押し出された血液により生じた圧力が末梢の血管に伝わり、動脈が拍動した回数のことを差す。通常、健常者においては脈拍数と心拍数は同じものとなる。このため、本明細書においては、脈拍数は心拍数と同義であるものとして扱う。
【００２３】
生体情報測定装置１００の本体部１は、橈骨動脈ＴＤから圧脈波を検出するための圧力センサ１０と、圧力センサ１０を手首に対して押圧するための押圧機構２０と、を備える。
【００２４】
図２は、図１に示す生体情報測定装置１００の圧力センサ１０を手首との接触面側から見た平面模式図である。図２に示すように、圧力センサ１０は、平板状の基体１１上に形成された素子列１２０を有する。
【００２５】
素子列１２０は、一方向である方向Ａに並ぶ複数の圧力検出素子１２により構成されている。圧力検出素子１２としては圧力を検出して電気信号に変換するものであればよく、例えばピエゾ抵抗効果を利用したもの等が用いられる。
【００２６】
複数の圧力検出素子１２の配列方向の間隔は、橈骨動脈ＴＤ上に必要かつ充分な数が配置されるように充分小さくされている。複数の圧力検出素子１２のうち両端部にある圧力検出素子同士の間の距離は、橈骨動脈ＴＤの径寸法より必要かつ充分に大きくされている。
【００２７】
圧力センサ１０は、素子列１２０に含まれる複数の圧力検出素子１２の配列方向である方向Ａが、橈骨動脈ＴＤの伸びる方向と交差する状態で押圧機構２０によって手首に押圧される。なお、圧力センサ１０は、基体１１上に方向Ａと直交する方向に素子列１２０が複数配列された構成であってもよい。
【００２８】
図３は、図１に示す生体情報測定装置１００の本体部１の内部ハードウェア構成を示す図である。
【００２９】
本体部１は、圧力センサ１０と、押圧機構２０と、全体を統括制御する制御部３０と、記憶媒体４０と、表示部５０と、動き検出センサ６０と、操作部７０と、を備える。
【００３０】
押圧機構２０は、例えば、基体１１の素子列１２０が形成された面の反対面に固定された空気袋と、この空気袋の内圧を調整するためのポンプとにより構成される。押圧機構２０による手首への押圧力（上記のポンプの内圧）は、制御部３０によって制御される。
【００３１】
押圧機構２０は、圧力センサ１０を手首に対して押圧できる機構であれば何でもよく、空気袋を用いたものには限定されない。
【００３２】
圧力センサ１０は、素子列１２０を構成する各圧力検出素子１２により検出された圧力信号を制御部３０に入力する。
【００３３】
制御部３０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び、プロセッサを含み、ＲＯＭに記憶されているプログラムをプロセッサが実行することで、本体部１全体を統括制御する。このプログラムには疲労度判定プログラムが含まれる。ＲＡＭは、制御部３０が各種処理を行う際のワークメモリとして機能する。
【００３４】
表示部５０は、各種情報を表示するものであり、例えば液晶表示素子によって構成される。
【００３５】
動き検出センサ６０は、ユーザの体動を検出するセンサであり、加速度センサ、角速度センサ、及び、気圧センサ等から選ばれる１つ又は複数のセンサによって構成される。
【００３６】
操作部７０は、生体情報測定装置１００の操作を行うためのインタフェースであり、本体部１に設けられたボタン、ダイヤル、又は、表示部５０と一体化されたタッチパネル等によって構成される。
【００３７】
記憶媒体４０は、データの記憶及び読み出しが可能な媒体であり、例えばフラッシュメモリ等が用いられる。記憶媒体４０は、メモリカード等の可搬型のものであってもよいし、本体部１に固定されていて取り出し不可となっているものであってもよい。
【００３８】
記憶媒体４０には、疲労度を判定するために用いられる疲労度判定用情報が記憶されている。
【００３９】
この疲労度判定用情報は、人の覚醒時かつ安静時における生体拍数及び人の睡眠時における生体拍数のうちの一方の生体拍数に対する他方の生体拍数の変化の度合いと、人の疲労度（酸化ストレス度）とが対応付けられた情報である。
【００４０】
２つの生体拍数の変化の度合いとは、例えば、２つの生体拍数の差分値、又は、２つの生体拍数の一方に対する他方の変化の割合のことを言う。
【００４１】
２つの生体拍数の差分値は、２つの生体拍数の一方の生体拍数から他方の生体拍数を減算して得られる値である。
【００４２】
２つの生体拍数の変化の割合は、２つの生体拍数の一方の生体拍数から他方の生体拍数を減算して得られる差分値を、該他方の生体拍数で除算して得られる値、又は、該値に１００を乗じて得られる値のことをいう。
【００４３】
疲労度判定用情報は、生体拍数の変化の度合いと疲労度（酸化ストレス度）の組み合わせが多数登録されたテーブルデータ、又は、生体拍数の変化の度合いと疲労度（酸化ストレス度）との関係を関数として表した演算式等によって構成される。
【００４４】
発明者らは、人の心拍数と酸化ストレス度（Ｏｘｉｄａｔｉｏｎ  Ｓｔｒｅｓｓ  Ｉｎｄｅｘ：  ＯＳＩ）との関係を検証した結果、人の覚醒時かつ安静時における心拍数及び人の睡眠時における心拍数のうちの一方の生体拍数に対する他方の生体拍数の変化の度合いと、疲労度の指標の１つである酸化ストレス度との間には相関関係があることを見出した。
【００４５】
具体的には、発明者らは、３０歳から６０歳の日中勤務している健常男性５２名を被験者とし、心電計を利用して各被験者の睡眠中の心拍数を７日間計測した。また、発明者らは、上記７日間のうちの計測開始日の前日と計測終了日の翌日の計２日、被験者が覚醒している午前９時〜午後１時の間に、各被験者に採血を実施して、酸化ストレス度を計測した。また、この採血と併せて、上腕式血圧計を利用して心拍数を計測した。
【００４６】
これらの計測によって、発明者らは、５２名の被験者の各々から、睡眠中の心拍数を７日分、覚醒時かつ安静時の心拍数を２日分、酸化ストレス度を２日分得た。
【００４７】
発明者らは、被験者毎に、睡眠中の心拍数の平均値を算出して夜間心拍数とし、覚醒時かつ安静時の心拍数の平均値を算出して日中心拍数とし、２日分の酸化ストレス度の平均を算出して疲労度とした。
【００４８】
図４は、心拍数と酸化ストレス度との関係を検証した結果を纏めたグラフを示す図である。
【００４９】
図４に示すグラフの横軸は、夜間心拍数から日中心拍数を減算して得られる差分値を示す。図４に示すグラフの縦軸は、疲労度を示す。また、グラフ中のプロットデータのうち、“〇”は４０歳以下の被験者のデータを示し、“□”は４１歳以上５０歳未満の被験者のデータを示し、“△”は５１歳以上の被験者のデータを示している。
【００５０】
図５は、心拍数と酸化ストレス度との関係を検証した結果を纏めたグラフを示す図である。
【００５１】
図５に示すグラフは、横軸の値を、夜間心拍数から日中心拍数を減算して得られる差分値を日中心拍数で除算し更に１００を乗じた値（昼夜心拍数変化率［％］）として全データを正規化したものであり、その他の点は図４に示すグラフと同じである。
【００５２】
図４及び図５に示すグラフによれば、睡眠時の心拍数が、覚醒時かつ安静時の心拍数に対して高いほど疲労度は高くなり、睡眠時の心拍数が、覚醒時かつ安静時の心拍数に対して低いほど疲労度は低下することが分かる。
【００５３】
健常者であれば、睡眠中の心拍数は、日中の活動時の心拍数よりも低下する傾向にある。しかし、長期間に渡って疲労が蓄積してくると、精神的な影響又は良質な睡眠をとれなくなる等によって心拍数が日中よりも下がりにくくなると考えられる。このような理論が、採血によって計測した酸化ストレス度と、実測した心拍数との関係を検証することで証明された。
【００５４】
なお、上述したように、健常者であれば、心拍数は脈拍数と一致するため、脈拍数と酸化ストレス度との関係についても、心拍数と同様に、図４，５に示すような相関関係がある。
【００５５】
図４に示す全てのプロットデータから最小二乗法によって求められる直線４０Ａを示す関数は、縦軸をＹ、横軸をＸとすると以下の式（１）のように表される。
【００５６】
Ｙ＝０．０１６Ｘ＋１．１４６２  ・・・（１）
【００５７】
また、図５に示す全てのプロットデータから最小二乗法によって求められる直線４０Ｂを示す関数は、縦軸をＹ、横軸をＸとすると以下の式（２）のように表される。
【００５８】
Ｙ＝０．００９５Ｘ＋１．１３５９  ・・・（２）
【００５９】
記憶媒体４０には、一例として、式（１）又は式（２）の情報が疲労度判定用情報として記憶される。
【００６０】
記憶媒体４０に記憶される疲労度判定用情報は、生体情報測定装置１００の製造段階でメーカーによって記憶されてもよいし、生体情報測定装置１００がインターネット等のネットワークに接続可能な構成であれば、ネットワークを介したダウンロードによって記憶されてもよい。
【００６１】
図６は、図３に示す制御部３０の機能ブロック図である。
【００６２】
制御部３０は、ＲＯＭに記憶されたプログラムを実行することにより、押圧制御部３１と、測定部３２と、記憶制御部３３と、第一の生体拍数取得部３４と、第二の生体拍数取得部３５と、疲労度判定部３６と、出力部３７として機能する。
【００６３】
押圧制御部３１は、押圧機構２０を駆動して、押圧機構２０による圧力センサ１０の手首への押圧力を制御する。
【００６４】
測定部３２は、押圧機構２０によって圧力センサ１０が手首に最適押圧力で押圧されている押圧状態で、素子列１２０を構成する複数の圧力検出素子１２のうちの最適圧力検出素子により検出された圧脈波の情報に基づいて、生体情報測定装置１００を装着するユーザの生体拍数である脈拍数を１拍毎又は複数拍毎に算出することで、脈拍数の測定を行う。
【００６５】
最適押圧力とは、この最適押圧力によって圧迫された橈骨動脈ＴＤから血管の周方向の張力の影響を受けずに圧脈波を検出できる状態、すなわちトノメトリ状態を実現する押圧力である。最適圧力検出素子とは、最適押圧力によって圧力センサ１０により圧迫されて平坦になっている橈骨動脈ＴＤの部分の真上に位置する圧力検出素子１２のことをいう。
【００６６】
生体情報測定装置１００では、ユーザの行動状態が睡眠か睡眠中以外の活動中かを判定するために、操作部７０によって睡眠モードと活動モードとのいずれかを設定できるように構成されている。
【００６７】
以下では、ユーザが、就寝する際に操作部７０を操作して生体情報測定装置１００を睡眠モードに設定し、起床すると、操作部７０を操作して生体情報測定装置１００を活動モードに設定するものとして説明する。
【００６８】
記憶制御部３３は、測定部３２により測定された脈拍数、その脈拍数の算出に利用した圧脈波の検出日（脈拍数の測定日と同義）及び検出時刻、その圧脈波の検出時における動き検出センサ６０の検出信号、及び、その圧脈波の検出時において設定されている動作モード（睡眠モード又は活動モード）を示すモード情報を含む測定データを記憶媒体４０に記憶する。
【００６９】
第一の生体拍数取得部３４は、測定部３２によってユーザから測定されて記憶媒体４０に記憶された測定データに基づいて、ユーザの覚醒時かつ安静時の第一の生体拍数である第一の脈拍数を生成し、生成した第一の脈拍数をＲＡＭに記憶することで、この第一の脈拍数を取得する。
【００７０】
第二の生体拍数取得部３５は、測定部３２によってユーザから測定されて記憶媒体４０に記憶された測定データに基づいて、ユーザの睡眠時の第二の生体拍数である第二の脈拍数を生成し、生成した第二の脈拍数をＲＡＭに記憶することで、この第二の脈拍数を取得する。
【００７１】
疲労度判定部３６は、記憶媒体４０に記憶されている疲労度判定用情報を読み出してＲＡＭに記憶し、この疲労度判定用情報と、第一の生体拍数取得部３４によって取得された第一の脈拍数と、第二の生体拍数取得部３５によって取得された第二の脈拍数と、に基づいて、ユーザの疲労度を判定する。ここで判定される疲労度は、ユーザの酸化ストレス度の推定値となる。
【００７２】
具体的には、疲労度判定部３６は、記憶媒体４０に記憶されている疲労度判定用情報が式（１）であれば、第二の脈拍数から第一の脈拍数を減算し、この演算によって得られた差分値を式（１）の“Ｘ”に代入することで疲労度を算出する。
【００７３】
また、疲労度判定部３６は、記憶媒体４０に記憶されている疲労度判定用情報が式（２）であれば、第二の脈拍数から第一の脈拍数を減算し、この減算によって得られた差分値を第一の脈拍数で除算して１００を乗じ、この乗算によって得られた値を式（２）の“Ｘ”に代入することで疲労度を算出する。
【００７４】
出力部３７は、疲労度判定部３６によって判定された疲労度の情報を表示部５０に出力して、この情報を表示部５０に表示させる。
【００７５】
なお、生体情報測定装置１００が音を出力するスピーカを有する構成であれば、出力部３７は、疲労度判定部３６によって判定された疲労度の情報をこのスピーカに出力し、音声によって疲労度をユーザに通知してもよい。
【００７６】
このように構成された生体情報測定装置１００では、ユーザが睡眠モードと活動モードのいずれかを設定した状態で測定開始ボタンを押すと、ユーザから定期的に脈拍数が測定され、測定された脈拍数と、その脈拍数の算出に用いた圧脈波の検出日及び検出時刻と、その圧脈波の検出時の動き検出信号と、設定中の動作モードを示すモード情報とを含む測定データが記憶媒体４０に順次記憶されていく。
【００７７】
そして、任意のタイミングにおいて、ユーザが操作部７０を操作して疲労度の判定指示を行うと、この判定指示が制御部３０に入力され、制御部３０が疲労度の判定を行い、判定した疲労度を表示部５０に表示させる。
【００７８】
判定指示が入力されると、第一の生体拍数取得部３４は、判定指示が行われた日時を起点として、予め決められた時間前までの期間を判定期間として設定する。
【００７９】
判定期間としては、睡眠モードのモード情報を含む測定データと、活動モードのモード情報を含む測定データとが必ず得られている程度の期間としておくことが好ましく、例えば２４時間が設定されるが、これに限定されるものではない。
【００８０】
次に、第一の生体拍数取得部３４は、上記の判定期間中の検出日及び検出時刻を含む測定データを記憶媒体４０から抽出し、抽出した測定データのうち、活動モードを示すモード情報を含む活動時測定データを更に抽出する。ここで抽出される活動時測定データは、ユーザの覚醒時における脈拍数の情報を含む。
【００８１】
次に、第一の生体拍数取得部３４は、活動時測定データに含まれる動き検出センサ６０の検出信号を解析し、ユーザの動きが閾値以下となっている安静時測定データを特定する。ここで特定される安静時測定データは、ユーザの覚醒時かつ安静時における脈拍数の情報を含む。
【００８２】
最後に、第一の生体拍数取得部３４は、この安静時測定データに含まれる脈拍数の代表値を算出し、算出した代表値を第一の脈拍数としてＲＡＭに記憶することで、第一の脈拍数を取得する。
【００８３】
ここで、複数の脈拍数の代表値とは、この複数の脈拍数の平均値、この複数の脈拍数のうちの最大値及び最小値を除いた脈拍数の平均値、この複数の脈拍数のうちの最頻値、又は、この複数の脈拍数のうちの中央値等といった複数の脈拍数全体の傾向を示している値である。
【００８４】
また、第二の生体拍数取得部３５は、上記の判定期間中の検出日及び検出時刻を含む測定データを記憶媒体４０から抽出し、抽出した測定データのうち、睡眠モードのモード情報を含む夜間測定データを抽出する。
【００８５】
次に、第二の生体拍数取得部３５は、抽出した各夜間測定データに含まれる動き検出センサ６０の検出信号を解析し、ユーザが睡眠中と判定できる検出信号を含む睡眠時測定データを特定する。ここで特定される睡眠時測定データは、ユーザの睡眠時における脈拍数の情報を含む。
【００８６】
最後に、第二の生体拍数取得部３５は、特定した各睡眠時測定データに含まれる脈拍数の代表値を上述した方法等によって算出し、算出した代表値を第二の脈拍数としてＲＡＭに記憶することで、第二の脈拍数を取得する。
【００８７】
第一の脈拍数と第二の脈拍数がＲＡＭに記憶されると、疲労度判定部３６は、記憶媒体４０から疲労度判定用情報を読み出してＲＡＭに記憶し、第一の脈拍数と第二の脈拍数と疲労度判定用情報とに基づいて疲労度を判定し、判定した疲労度を表示部５０に表示させる。
【００８８】
例えば、７月１４日の朝１０時に疲労度の判定指示が行われると、７月１３日の朝１０時から７月１４日の朝１０時までの間のユーザの睡眠時の脈拍数の代表値が第二の脈拍数としてＲＡＭに記憶され、７月１３日の朝１０時から７月１４日の朝１０時までの間のユーザの覚醒時かつ安静時の脈拍数の代表値が第一の脈拍数としてＲＡＭに記憶される。そして、これら第一の脈拍数及び第二の脈拍数と疲労度判定用情報とに基づいて疲労度が判定されて表示部５０に表示されることになる。
【００８９】
このように、生体情報測定装置１００によれば、ユーザの覚醒時かつ安静時の第一の脈拍数と、ユーザの睡眠時の第二の脈拍数と、実験的に求められて記憶媒体４０に予め記憶された疲労度判定用情報と、に基づいてユーザの疲労度（酸化ストレス度の推定値）を判定するため、複雑な演算処理を行うことなく疲労度を判定することができる。したがって、制御部３０の処理負荷を軽減することができる。
【００９０】
また、疲労度の判定には、第一の脈拍数と第二の脈拍数が必要であるが、第一の脈拍数については、ユーザが日中に安静にした状態で脈拍数の測定を少なくとも１度行うことで容易に得ることができる。このため、ユーザは、日中に生体情報測定装置１００を装着し続ける必要がなく、ユーザの負担を軽減することができる。
【００９１】
生体情報測定装置１００がバッテリ駆動型である場合は、ユーザが寝ているとき以外は頻繁に充電が行われることが考えられる。装置の充電中は脈拍数の測定は行うことができない。このため、日中における脈拍数の測定については１回でも測定がなされればよい構成としておくことで、疲労度を正確に判定しながら、装置の充電にも対応することが可能となる。
【００９２】
以下、生体情報測定装置１００の変形例について説明する。
【００９３】
（第一の変形例）
第一の生体拍数取得部３４、第二の生体拍数取得部３５、及び、疲労度判定部３６は、ユーザからの判定指示に応じて動作する以外に、予め決められたタイミングで動作して疲労度の判定を行ってもよい。
【００９４】
上記のタイミングとしては、動作モードが睡眠モードから活動モードに切替えられたタイミング、動作モードが活動モードから睡眠モードに切替えられたタイミング、又は、生体情報測定装置１００の電源が投入されたタイミング等がある。
【００９５】
これらのタイミングは、ユーザが生体情報測定装置１００を操作している状態である。このため、このタイミングで疲労度が表示部５０に表示されたり、スピーカから出力されたりすることで、ユーザに対して自然な形で疲労度の通知を行うことができる。
【００９６】
また、動作モードの切り替え操作は、ユーザが毎日行うことが想定される。このため、動作モードが切替えられたタイミングで疲労度が通知されることで、ユーザは疲労度の毎日の微妙な変化を知ることができ、自身の生活改善等に役立てることができる。
【００９７】
（第二の変形例）
上記の実施形態では、第一の生体拍数取得部３４が、上記の判定期間中の検出日及び検出時刻を含む測定データを記憶媒体４０から抽出し、抽出した測定データの中から、モード情報に基づいて活動時測定データを抽出している。
【００９８】
第二の変形例では、第一の生体拍数取得部３４は、活動モードを示すモード情報を用いずに、記憶媒体４０から抽出した測定データに含まれる検出信号を解析して、睡眠中に測定されたものと、睡眠中以外の活動中に測定されたものとを区別することで、活動時測定データを抽出する。
【００９９】
また、第二の変形例では、第二の生体拍数取得部３５は、睡眠モードを示すモード情報を用いずに、記憶媒体４０から抽出した測定データに含まれる検出信号を解析して、睡眠中に測定されたものと、睡眠中以外の活動中に測定されたものとを区別することで、夜間測定データを抽出する。
【０１００】
この第二の変形例によれば、第一の脈拍数と第二の脈拍数を取得するために動作モードの情報を使用しないため、動作モードの設定をユーザが行う必要がなくなる。したがって、動作モードの切替え忘れなどの心配が不要となり、生体情報測定装置１００の使い勝手を向上させることができる。
【０１０１】
（第三の変形例）
第二の生体拍数取得部３５は、上記で特定した各睡眠時測定データのうち、動き検出センサ６０の検出信号からノンレム睡眠中に測定されたものと判断できる測定データを特定し、この測定データに含まれる脈拍数の代表値を第二の脈拍数としてもよい。脈拍数は、ノンレム睡眠中に低下すると考えられることから、ノンレム睡眠中の脈拍数を第二の脈拍数として取得し、疲労度の判定に用いることで、疲労度の判定精度を向上させることができる。
【０１０２】
（第四の変形例）
第二の生体拍数取得部３５は、上記で特定した各睡眠時測定データに含まれる脈拍数のうちの最小となる脈拍数を第二の脈拍数として取得してもよい。睡眠時における最小の脈拍数は、ノンレム睡眠状態での脈拍数である可能性が高い。脈拍数は、ノンレム睡眠中に低下すると考えられることから、ノンレム睡眠中の脈拍数を第二の脈拍数として取得し、疲労度の判定に用いることで、疲労度の判定精度を向上させることができる。
【０１０３】
（第五の変形例）
【０１０４】
図７は、本発明の一実施形態に係る疲労度判定システムの概略構成を示す図である。図７に示す疲労度判定システムは、生体情報測定装置１００Ａと、電子機器２００と、を備える。
【０１０５】
生体情報測定装置１００Ａの内部ハードウェア構成は、電子機器２００と通信するための通信インタフェースが追加された点を除いては、生体情報測定装置１００と同じであるため説明を省略する。
【０１０６】
生体情報測定装置１００Ａの制御部３０の機能ブロック図は、図６において、第一の生体拍数取得部３４、第二の生体拍数取得部３５、疲労度判定部３６、及び、出力部３７を削除した構成である。
【０１０７】
電子機器２００は、パーソナルコンピュータ、スマートフォン、又は、タブレット端末等の電子機器である。
【０１０８】
電子機器２００は、生体情報測定装置１００Ａと有線又は無線等で接続可能であり、生体情報測定装置１００Ａの記憶媒体４０のデータを読み込み可能である。
【０１０９】
なお、生体情報測定装置１００Ａの記憶媒体４０が可搬型である場合には、電子機器２００がこの記憶媒体からデータを読み取り可能な手段を有し、装着された記憶媒体からデータを読み取る構成としてもよい。
【０１１０】
図７に示す疲労度判定システムでは、生体情報測定装置１００Ａのユーザが、自身の所有する電子機器２００に、疲労度の判定を行うためのアプリケーション（疲労度判定アプリ）をインストールしておくことを前提としている。この疲労度判定アプリには上記の疲労度判定プログラムが含まれる。
【０１１１】
図８は、図７に示す疲労度判定システムの電子機器２００の内部ハードウェア構成を示す図である。
【０１１２】
電子機器２００は、全体を統括制御するシステム制御部２０１と、通信インタフェース（Ｉ／Ｆ）２０２と、記憶媒体２０３と、操作部２０４と、表示部２０５と、スピーカ２０６と、を備える。
【０１１３】
システム制御部２０１は、プロセッサと、このプロセッサの実行するプログラム等が記憶されるＲＯＭと、ワークメモリとしてのＲＡＭと、を含む。このＲＯＭには、上記の疲労度判定アプリが記憶される。
【０１１４】
通信Ｉ／Ｆ２０２は、生体情報測定装置１００Ａを含む電子機器と有線又は無線で接続するためのインタフェースである。
【０１１５】
記憶媒体２０３は、生体情報測定装置１００Ａから読み出した測定データを記憶する。記憶媒体２０３は、例えばフラッシュメモリ等により構成される。記憶媒体２０３は電子機器２００に対して着脱可能であってもよい。
【０１１６】
記憶媒体２０３には、上記の疲労度判定アプリのインストール時に、上述した疲労度判定用情報が記憶される。
【０１１７】
操作部２０４は、システム制御部２０１に対する指示信号を入力するためのインタフェースであり、キーボード、マウス、ボタン、又は、タッチパネル等により構成される。
【０１１８】
表示部２０５は、各種情報を表示するためのものであり、例えば液晶表示装置等により構成される。
【０１１９】
図９は、図８に示す電子機器２００のシステム制御部２０１の機能ブロック図である。
【０１２０】
システム制御部２０１は、プロセッサが疲労度判定プログラムを実行することにより、測定データ取得部２０１Ａ、第一の生体拍数取得部２０１Ｂ、第二の生体拍数取得部２０１Ｃ、疲労度判定部２０１Ｄ、及び、出力部２０１Ｅとして機能する。システム制御部２０１は、疲労度判定装置として機能する。
【０１２１】
測定データ取得部２０１Ａは、生体情報測定装置１００Ａの記憶媒体４０から、この記憶媒体４０に記憶された測定データを取得して、記憶媒体２０３に記憶する。
【０１２２】
第一の生体拍数取得部２０１Ｂは、測定データの読み込み先が記憶媒体２０３である点を除いては、第一の生体拍数取得部３４と同じ機能を有する。
【０１２３】
第二の生体拍数取得部２０１Ｃは、測定データの読み込み先が記憶媒体２０３である点を除いては、第二の生体拍数取得部３５と同じ機能を有する。
【０１２４】
疲労度判定部２０１Ｄは、疲労度判定用情報の読み込み先が記憶媒体２０３である点を除いては、疲労度判定部３６と同じ機能を有する。
【０１２５】
出力部２０１Ｅは、疲労度の情報の出力先が表示部２０５又はスピーカ２０６である点を除いては、出力部３７と同じ機能を有する。
【０１２６】
以上のように構成された疲労度判定システムでは、生体情報測定装置１００Ａのユーザが、自身の所持する電子機器２００にインストールした疲労度アプリを起動させて、疲労度の判定指示をシステム制御部２０１に対して行う。この判定指示を受けて、システム制御部２０１は、判定指示が行われた日時を起点として上記の予め決められた時間（例えば２４時間）前までの期間を判定期間として設定する。
【０１２７】
次に、第一の生体拍数取得部２０１Ｂは、上記の判定期間中の検出日及び検出時刻を含む測定データに基づいて、ユーザの覚醒時かつ安静時における第一の脈拍数を取得する。また、第二の生体拍数取得部２０１Ｃは、上記の判定期間中の検出日及び検出時刻を含む測定データに基づいて、ユーザの睡眠時における第二の脈拍数を取得する。
【０１２８】
次に、疲労度判定部２０１Ｄは、記憶媒体２０３から疲労度判定用情報を読み出してＲＡＭに記憶し、第一の脈拍数と第二の脈拍数と疲労度判定用情報とに基づいて疲労度を判定し、判定した疲労度を表示部２０５に表示させる。
【０１２９】
以上のように、脈拍数を測定可能な生体情報測定装置１００Ａと通信できる電子機器２００において疲労度の判定を行って、その疲労度をユーザに通知することもできる。
【０１３０】
この構成によれば、生体情報測定装置１００Ａでの処理量を削減して、装置の電池寿命を延ばすことができる。また、生体情報測定装置１００Ａに表示部又はスピーカ等が設けられない場合でも、疲労度をユーザに通知することができ、生体情報測定装置１００Ａの小型化及び低コスト化にも対応可能となる。
【０１３１】
以上の説明では、生体情報測定装置１００及び生体情報測定装置１００Ａが、圧力センサ１０により検出された圧脈波に基づいて脈拍数を測定するものとしたが、脈拍数の測定方式又は脈拍数の測定頻度はこれに限らない。例えば、生体情報測定装置１００及び生体情報測定装置１００Ａは、光電脈波センサによって検出した脈波に基づいて脈拍数を測定してもよい。
【０１３２】
また、生体情報測定装置１００，１００Ａは、３０分毎又は１時間毎等の予め決められた時間間隔で脈拍数を測定し記憶するものであってもよい。
【０１３３】
第五の変形例では電子機器２００が疲労度の判定を行う構成であるが、電子機器２００と通信可能なサーバによって疲労度の判定を行い、判定した疲労度をサーバから電子機器２００に返信することで、電子機器２００にて疲労度を確認できるようにしてもよい。この場合は、サーバが疲労度判定装置として機能する。
【０１３４】
また、生体情報測定装置１００，１００Ａは、心電センサ等を用いて、１拍毎、複数拍毎、或いは、３０分毎又は１時間毎等の予め決められた時間間隔で生体拍数としての心拍数を測定し記憶するものであってもよい。
【０１３５】
また、生体情報測定装置１００，１００Ａは、脈拍数又は心拍数等の生体拍数以外に、血圧情報を測定し記憶する機能を有していてもよい。
【０１３６】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１３７】
以上説明してきたように、本明細書には以下の事項が開示されている。
【０１３８】
（１）  ユーザから測定された生体拍数に基づいて、前記ユーザの覚醒時かつ安静時の第一の生体拍数を取得する第一の生体拍数取得部と、前記ユーザから測定された生体拍数に基づいて、前記ユーザの睡眠時の第二の生体拍数を取得する第二の生体拍数取得部と、人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定部と、を備える疲労度判定装置。
【０１３９】
（２）  （１）記載の疲労度判定装置であって、前記疲労度判定部は、前記第一の生体拍数と前記第二の生体拍数のうちの一方に対する他方の変化の度合いを算出し、前記情報において当該度合いに対応する疲労度を前記ユーザの疲労度として判定する疲労度判定装置。
【０１４０】
（３）  （１）又は（２）記載の疲労度判定装置であって、前記情報に含まれる前記疲労度は、酸化ストレス度である疲労度判定装置。
【０１４１】
（４）  （１）〜（３）のいずれか１つに記載の疲労度判定装置であって、前記第一の生体拍数取得部は、前記疲労度判定部が前記ユーザの疲労度を判定するタイミングを起点として予め決められた時間前までの判定期間において前記ユーザから測定された生体拍数に基づいて前記第一の生体拍数を取得し、前記第二の生体拍数取得部は、前記判定期間において前記ユーザから測定された生体拍数に基づいて前記第二の生体拍数を取得する疲労度判定装置。
【０１４２】
（５）  （４）疲労度判定装置であって、前記予め決められた時間は２４時間である疲労度判定装置。
【０１４３】
（６）  （１）〜（５）のいずれか１つに記載の疲労度判定装置であって、前記疲労度判定部によって判定された前記ユーザの疲労度の情報を表示部又はスピーカに出力する出力部を更に備え、前記疲労度判定部は、予め決められたタイミングで前記ユーザの疲労度を判定する疲労度判定装置。
【０１４４】
（７）  （１）〜（６）のいずれか１つに記載の疲労度判定装置であって、前記変化の度合いは、前記一方の生体拍数から前記他方の生体拍数を減算して得られる差分値であり、前記疲労度判定部は、前記第一の生体拍数と前記第二の生体拍数のうちの一方から他方を減算し、前記情報において前記減算で得た値に対応する疲労度を前記ユーザの疲労度として判定する疲労度判定装置。
【０１４５】
（８）  （１）〜（６）のいずれか１つに記載の疲労度判定装置であって、前記変化の度合いは、前記一方の生体拍数から前記他方の生体拍数を減算して得られる差分値を前記他方の生体拍数で除算して得られる値、又は、該値に１００を乗じた値であり、前記疲労度判定部は、前記第一の生体拍数と前記第二の生体拍数のうちの一方から他方を減算して得られる差分値を当該他方で除算して、又は、前記第一の生体拍数と前記第二の生体拍数のうちの一方から他方を減算して得られる差分値を前記他方で除算し更に１００を乗じて、前記ユーザの生体拍数の変化の割合を算出し、前記情報において前記変化の割合に対応する疲労度を前記ユーザの疲労度として判定する疲労度判定装置。
【０１４６】
（９）  （１）〜（８）のいずれか１つに記載の疲労度判定装置と、前記ユーザから生体拍数を測定する測定部と、を備え、前記第一の生体拍数取得部は、前記測定部によって測定された生体拍数から前記第一の生体拍数を生成することで前記第一の生体拍数を取得し、前記第二の生体拍数取得部は、前記測定部によって測定された生体拍数から前記第二の生体拍数を生成することで前記第二の生体拍数を取得する生体情報測定装置。
【０１４７】
（１０）  ユーザから測定された生体拍数に基づいて、前記ユーザの覚醒時かつ安静時の第一の生体拍数を取得する第一の生体拍数取得ステップと、前記ユーザから測定された生体拍数に基づいて、前記ユーザの睡眠時の第二の生体拍数を取得する第二の生体拍数取得ステップと、人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定ステップと、を備える疲労度判定方法。
【０１４８】
（１１）  ユーザから測定された生体拍数に基づいて、前記ユーザの覚醒時かつ安静時の第一の生体拍数を取得する第一の生体拍数取得ステップと、前記ユーザから測定された生体拍数に基づいて、前記ユーザの睡眠時の第二の生体拍数を取得する第二の生体拍数取得ステップと、人の覚醒時かつ安静時における生体拍数及び人の睡眠時における生体拍数のうちの一方の生体拍数に対する他方の生体拍数の変化の度合いと疲労度とが対応付けられた情報を記憶する記憶媒体から読み出した前記情報と、前記第一の生体拍数及び前記第二の生体拍数とに基づいて、前記ユーザの疲労度を判定する疲労度判定ステップと、をコンピュータに実行させるための疲労度判定プログラム。
【符号の説明】
【０１４９】
１００，１００Ａ  生体情報測定装置
１  本体部
２  ベルト
１０  圧力センサ
２０  押圧機構
ＴＤ  橈骨動脈
１１  基体
１２  圧力検出素子
１２０  素子列
３０  制御部
４０  記憶媒体
５０  表示部
６０  動き検出センサ
７０  操作部
４０Ａ、４０Ｂ  直線
３１  押圧制御部
３２  測定部
３３  記憶制御部
３４  第一の生体拍数取得部
３５  第二の生体拍数取得部
３６  疲労度判定部
３７  出力部
２００  電子機器
２０１  システム制御部
２０２  通信インタフェース
２０３  記憶媒体
２０４  操作部
２０５  表示部
２０６  スピーカ
２０１Ａ  測定データ取得部
２０１Ｂ  第一の生体拍数取得部
２０１Ｃ  第二の生体拍数取得部
２０１Ｄ  疲労度判定部
２０１Ｅ  出力部
【図１】
2018023676.tif 000003
【図２】
2018023676.tif 000004
【図３】
2018023676.tif 000005
【図４】
2018023676.tif 000006
【図５】
2018023676.tif 000007
【図６】
2018023676.tif 000008
【図７】
2018023676.tif 000009
【図８】
2018023676.tif 000010
【図９】
2018023676.tif 000011